(57)【要約】【課題】筐体の蓋部の孔と本体部に固定された基板上の表示機器及び操作部材の位置ずれを吸収し、美観が良好で且つ操作ボタンを操作し易い電力変換装置を提供することである。【解決手段】電力変換装置１の筐体４の本体部４ａには、表示装置２とスイッチ部３が設けられている。筐体４の蓋部４ｂ側には、蓋本体７、表示プレート５、押圧部材６が設けられている。蓋本体７には表示プレート５と押圧部材６を装着する開口７ａ〜７ｃが設けられている。表示プレート５と押圧部材６を開口７ａ〜７ｃに装着すると、表示プレート５は表示装置２に対応する位置に配置され、押圧部材６は、スイッチ部３に対応する位置に配置される。その結果、表示プレート５、押圧部材６は、蓋本体７の開口７ａ〜７ｃに隙間なく配置することができる。【選択図】図２
2014166115.tif 000002
【特許請求の範囲】
【請求項１】
本体部と蓋部とを有する筐体内に、インバータを含む複数の電子機器が収納されてなる電力変換装置において、
前記本体部には電気信号に応じて所定の表示を発光表出する表示装置と、外力によって操作されるスイッチとが設けられ、
前記蓋部は蓋本体と、透光性を有する表示プレートと、外力によって変位する押圧部材とを有し、
蓋本体には開口が設けられ、当該開口に前記表示プレートと前記押圧部材とが装着されており、
前記表示プレートは表示装置に対応する位置にあり、前記押圧部材はスイッチに対応する位置にあり、
筐体の外部から表示装置の表示を、表示プレートを通して観察することが可能であり、筐体の外部から押圧部材を押圧してスイッチを操作可能であることを特徴とする電力変換装置。
【請求項２】
表示プレートには開口があり、当該開口に前記押圧部材が設けられていることを特徴とする請求項１に記載の電力変換装置。
【請求項３】
表示プレートの筐体内部側であって、表示プレートに設けられた前記開口の周縁部にはガイド壁が設けられ、当該ガイド壁によって押圧部材の姿勢が保持されることを特徴とする請求項２に記載の電力変換装置。
【請求項４】
表示プレート及び押圧部材は、蓋本体の内面側に設けられていることを特徴とする請求項１乃至３のいずれかに記載の電力変換装置。
【請求項５】
押圧部材は、押圧片を有し、当該押圧片は押圧片よりも正面側の面積が小さく変形可能な接続部を介して蓋本体に取り付けられており、
前記押圧片の裏面側には複数の脚部が設けられ、当該脚部の少なくとも二つは、正面側から見て接続部の外側にあり、常時また押圧片を押圧した際に脚部が他の部材と当接すると共に変形して押圧片の変位を吸収し、押圧片の姿勢を保つことを特徴とする請求項１乃至４のいずれかに記載の電力変換装置。
【請求項６】
脚部は、複数の線状弾性体を有し、線状弾性体の一端側が押圧片の一部に接続され、自由端側又は中間部が他の部材と当接することを特徴とする請求項５に記載の電力変換装置。
【請求項７】
押圧部材には平坦部があり、押圧部材を押圧すると、前記平坦部がスイッチを押圧することを特徴とする請求項１乃至６のいずれかに記載の電力変換装置。
【発明の詳細な説明】
【技術分野】
【０００１】
本発明は、発電設備によって発電された電力の形式を変換して出力可能な電力変換装置に関するものである。
【背景技術】
【０００２】
近年、環境に対する関心の高まりや、政府のエネルギー政策を受けて、太陽光エネルギーや風力等の所謂再生可能エネルギーや、燃料電池等を用いた発電システムが急速に普及している。そして、この種の発電システムは、発電設備（例えば、太陽光パネル、風力発電機、並びに、燃料電池等）において発電された直流電力を、商用系統に連系させる機能を具備した電力変換装置（所謂パワーコンディショナ）が備えられている。すなわち、この種の発電システムでは、パワーコンディショナにインバータ回路が備えられ、そのインバータ回路で直流電力を所定の周波数（例えば５０Ｈｚあるいは６０Ｈｚ）の交流電力に変換している。
【０００３】
パワーコンディショナは、発電設備で発電された直流電力を、単に交流電力に変換するだけのものではなく、商用系統に連系させたり、所定の電圧まで昇圧させる等の微妙な制御が必要不可欠である。すなわち、この種のパワーコンディショナは、これらの機能を好適に発揮させるべく、インバータ回路やコンバータ回路にスイッチング素子等が設けられ、それらが制御装置によって電子的に制御されている。
【０００４】
このパワーコンディショナは、基板と、この基板を収容する筐体を有している。
基板には前述のインバータ回路等の各電子機器の他、表示機器、操作部材等が設けられている。表示機器は、発電量や電力の使用量等をセグメント表示するものである。操作部材はラッチスイッチまたはラッチ式でないプッシュスイッチであり、押圧操作することによって電力変換装置の運転の入り切り状態を切り替えたり、表示する項目（発電量、使用量、売電量等）を切り換えることができる。
【０００５】
筐体は、本体部と、本体部を開閉する蓋部とで構成されている。筐体は、直方体の外形を有しており、六面のうちの五面が本体部で構成され、残りの一面が蓋部で構成されている。すなわち、筐体は、本体部の開放された一方側を蓋部が開閉する構成を有している。
蓋部には、複数の孔が設けられている。
本体部には、前述の基板が固定されており、表示機器と操作部材は、蓋部に近接している。
表示機器は、蓋部の複数の孔のうちの１つを介して筐体の外部から観察することができる。また、操作部材は、蓋部の別の孔を介して押圧操作することができる。
【０００６】
このように、表示機器と操作部材等の電装品を筐体の本体部側に固定された基板に設け、蓋部側に電装品を配置しないことにより、筐体の本体部側から蓋部側へ電気配線をする必要がなくなり、パワーコンディショナの組み立てやメンテナンス作業の容易化を図ることができる。
【０００７】
特許文献１には、このような構成を有する電源装置（パワーコンディショナ）が開示されている。すなわち、特許文献１の電源装置には、筐体のフロントパネル（蓋部）に孔が設けられており、この孔から表示部を観察することができると共に、運転操作部の操作ボタンを押圧操作することができる構成が開示されている。
【先行技術文献】
【特許文献】
【０００８】
【特許文献１】特開２００１−３７２５５号公報
【発明の概要】
【発明が解決しようとする課題】
【０００９】
ところで、本体部側の基板に操作部材を設け、蓋部側の孔から操作部材を操作するためには、操作部材の操作ボタンが、筐体の蓋部の孔と正確に位置合わせされている必要がある。しかし、筐体の本体部と蓋部の間にはクリアランスが存在し、本体部側の操作部材と、蓋部側の孔とを正確に位置合わせするのは困難である。
そのため、操作ボタンの一部又は全部が蓋部の孔から外れてしまい、蓋部の孔と操作ボタンの間に隙間が生じ、この隙間は美観を損ねてしまう。また、操作ボタンの一部又は全部が隠れてしまうため、筐体の外部から操作ボタンを操作しにくい。
【００１０】
そこで本発明は、筐体の蓋部の孔と本体部に固定された基板上の表示機器及び操作部材の位置ずれを吸収し、美観が良好で且つ操作ボタンを操作し易い電力変換装置を提供することを課題としている。
【課題を解決するための手段】
【００１１】
上記課題を解決するための請求項１に記載の発明は、本体部と蓋部とを有する筐体内に、インバータを含む複数の電子機器が収納されてなる電力変換装置において、前記本体部には電気信号に応じて所定の表示を発光表出する表示装置と、外力によって操作されるスイッチとが設けられ、前記蓋部は蓋本体と、透光性を有する表示プレートと、外力によって変位する押圧部材とを有し、蓋本体には開口が設けられ、当該開口に前記表示プレートと前記押圧部材とが装着されており、前記表示プレートは表示装置に対応する位置にあり、前記押圧部材はスイッチに対応する位置にあり、筐体の外部から表示装置の表示を表示プレートを通して観察することが可能であり、筐体の外部から押圧部材を押圧してスイッチを操作可能であることを特徴とする電力変換装置である。
【００１２】
請求項１に記載の発明では、蓋本体には開口が設けられ、当該開口に前記表示プレートと前記押圧部材とが装着されているので、開口と表示プレート及び押圧部材の間には隙間が生じない。そのため、電力変換装置の美観が良好である。
表示プレートは表示装置に対応する位置にあり、前記押圧部材はスイッチに対応する位置にあり、筐体の外部から表示装置の表示を、表示プレートを通して観察することが可能であり、筐体の外部から押圧部材を押圧してスイッチを操作可能であるので、表示プレートを介して表示装置を観察しながら、スイッチを操作することができ、電力変換装置の操作が容易である。
また、押圧部材を介してスイッチを操作可能であり、スイッチの押圧操作が不能になる事態を回避することができる。
さらに、筐体の本体部側から蓋部側に電気配線を接続する必要がない。そのため、筐体の本体部に対する蓋部の着脱が容易であり、電力変換装置の組み立てやメンテナンス作業が容易である。
【００１３】
請求項２に記載の発明は、表示プレートには開口があり、当該開口に前記押圧部材が設けられていることを特徴とする請求項１に記載の電力変換装置である。
【００１４】
請求項２に記載の発明では、表示プレートには開口があり、当該開口に前記押圧部材が設けられているので、表示プレートと押圧部材の位置関係が固定される。また、蓋本体には、表示プレートのみが固定され、表示プレートと押圧部材を個々に蓋本体に固定するよりも組み立て及び解体が容易である。
【００１５】
請求項３に記載の発明は、表示プレートの筐体内部側であって、表示プレートに設けられた前記開口の周縁部にはガイド壁が設けられ、当該ガイド壁によって押圧部材の姿勢が保持されることを特徴とする請求項２に記載の電力変換装置である。
【００１６】
請求項３に記載の発明では、表示プレートの筐体内部側であって、表示プレートに設けられた開口の周縁部にはガイド壁が設けられ、当該ガイド壁によって押圧部材の姿勢が保持されるので、押圧された押圧部材は、ガイド壁に沿って移動する。すなわち、押圧部材の押圧することによるスイッチの操作が安定する。
【００１７】
請求項４に記載の発明は、表示プレート及び押圧部材は、蓋本体の内面側に設けられていることを特徴とする請求項１乃至３のいずれかに記載の電力変換装置である。
【００１８】
請求項４に記載の発明では、表示プレート及び押圧部材は、蓋本体の内面側に設けられているので、蓋本体から不用意に外れない。
【００１９】
請求項５に記載の発明は、押圧部材は、押圧片を有し、当該押圧片は押圧片よりも正面側の面積が小さく変形可能な接続部を介して蓋本体に取り付けられており、
前記押圧片の裏面側には複数の脚部が設けられ、当該脚部の少なくとも二つは、正面側から見て接続部の外側にあり、常時また押圧片を押圧した際に脚部が他の部材と当接すると共に変形して押圧片の変位を吸収し、押圧片の姿勢を保つことを特徴とする請求項１乃至４のいずれかに記載の電力変換装置である。
【００２０】
請求項５に記載の発明では、押圧片を押圧した際に、脚部によって押圧片の姿勢が保たれる。すなわち、押圧片の中央部分から外れた部分が押圧されても、押圧片は傾くことがなく、操作感が良好である。
【００２１】
脚部は、複数の線状弾性体を有し、線状弾性体の一端側が押圧片の一部に接続され、自由端側又は中間部が他の部材と当接させることもできる（請求項６）。
【００２２】
請求項７に記載の発明は、押圧部材には平坦部があり、押圧部材を押圧すると、前記平坦部がスイッチを押圧することを特徴とする請求項１乃至６のいずれかに記載の電力変換装置である。
【００２３】
請求項７に記載の発明では、押圧部材には平坦部があり、平坦部がスイッチを押圧するので、押圧部材とスイッチが多少位置ずれしていても、平坦部がスイッチを確実に押圧することができる。すなわち、押圧部材を操作して確実にスイッチを押圧することができる。
【発明の効果】
【００２４】
本発明の電力変換装置は、表示プレートを介して表示装置を観察しながら、押圧部材を介してスイッチを容易に操作することができる。すなわち、スイッチの押圧操作が不能になる事態を回避することができる。
また、蓋部の開口と表示プレート及び押圧部材の間には隙間が生じず、電力変換装置の美観が良好である。
さらに、筐体の本体部側から蓋部側に電気配線を接続する必要がない。そのため、筐体の本体部に対する蓋部の着脱が容易であり、電力変換装置の組み立てやメンテナンス作業が容易である。
【図面の簡単な説明】
【００２５】
【図１】本発明の実施形態の電力変換装置の斜視図である。
【図２】図１の電力変換装置の分解斜視図である。
【図３】図１の電力変換装置の操作ボタンが設けられた基板部分の拡大斜視図である。
【図４】押圧部材の正面側から見た斜視図である。
【図５】押圧部材の裏面側から見た斜視図である。
【図６】押圧部材の正面図である。
【図７】図１のＡ−Ａ断面矢視図であり、（ａ）は、押圧部材が押圧されていない状態を示しており、（ｂ）は、押圧部材が押圧されている状態を示す。
【図８】図１のＢ−Ｂ断面矢視図であり、（ａ）は、押圧部材が押圧されていない状態を示しており、（ｂ）は、押圧部材が押圧されている状態を示す。
【図９】（ａ）は、表示プレートと押圧部材とが一体化された状態を上方から見た斜視図であり、（ｂ）は、（ａ）の表示プレートと押圧部材を裏返しにした状態の斜視図であり、（ｃ）は、（ｂ）の表示プレートと押圧部材を分解した分解斜視図である。
【図１０】電力変換装置を備えた電力システムを示す概念図である。
【図１１】電力変換装置の装置構成を示すブロック図である。
【発明を実施するための形態】
【００２６】
以下、本発明の実施形態を、図面を参照しながら説明する。
まず、図１０、図１１を参照しながら電力変換装置１が使用される電力システム７２と、電力変換装置１の電力変換に関わる装置構成を説明し、続いて本発明の特徴的部分について説明する。
【００２７】
本実施形態の電力変換装置１は、図１０に示す様に、発電設備たる太陽光パネル７０と電気的に接続されて発電システム７２の一部を構成するものであり、太陽光パネル７０において発電された直流電力を、所定の周波数の交流電力に変換し、商用系統７１に連系させる機能を有する。
【００２８】
すなわち、本実施形態の電力変換装置１は、筐体４内において、図１１に示すように、端子台７３と、ＤＣリアクトル６１と、主コンバータ回路６６と、インバータ回路６７と、ＡＣリアクトル６２と、主コンバータ回路６６とインバータ回路６７との間に配された電解コンデンサ６３と、系統リレー部６４と、制御基板６８と、主コンバータ回路６６とインバータ回路６７との間の電圧を制御基板６８に適した電圧に変換する制御用コンバータ回路６９が主要部として備えられ、それらの機器が電装線７６（基板に形成されたプリント配線を含む）を介して接続された構成である。
【００２９】
端子台７３は、電力変換装置１と他の機器との電気的接続を可能とする接続手段であり、複数のターミナル７４が設けられている。なお、図１１に示す端子台７３は、作図の便宜上、入力側端子台７３ａと出力側端子台７３ｂとが分割されているが、実際は一体に形成された部材である。
【００３０】
ＤＣリアクトル６１は、インダクタ（コイル）であり、太陽光パネル７０から電力変換装置１に入力される入力電圧に含まれる高周波成分を除去する機器である。
【００３１】
主コンバータ回路６６は、昇圧を目的とした公知のＤＣ／ＤＣコンバータであり、図示しない変圧器を備え、太陽光パネル７０から供給される直流電力を所定の電圧（例えばＤＣ３２０〜４００Ｖ）に昇圧するものである。
【００３２】
インバータ回路６７は、図示しないスイッチング素子を複数有した公知のＤＣ／ＡＣインバータである。すなわち、インバータ回路６７は、主コンバータ回路６６によって昇圧された直流電力が入力されると、所定の周波数（例えば５０Ｈｚ又は６０Ｈｚ）の交流電力に変換して商用系統７１に供給するものである。
【００３３】
ＡＣリアクトル６２は、インバータ回路６７の出力電圧に含まれる高周波成分を除去する機器であり、ＤＣリアクトル６１と同様の構成を有する。
【００３４】
電解コンデンサ６３は、公知のリード型電解コンデンサと同様のものが採用されており、主コンバータ回路６６で昇圧された直流電力を平滑化する機能が備えられている。
【００３５】
制御用コンバータ回路６９は、降圧を目的とした公知のＤＣ／ＤＣコンバータであり、変圧器（以下、絶縁トランスという）７５を備え、主コンバータ回路６６で昇圧された直流電力を、所定の電圧（例えば５Ｖ）まで降圧するものである。
【００３６】
系統リレー部６４は、公知のそれと同様であり、電気信号を受けて機械的にスイッチを開閉するものである。
【００３７】
制御基板６８は、マイコンを制御の中枢とするものであり、これにより電力変換装置１の各部が制御される。すなわち、制御基板６８は、電力変換装置１に入力された直流電力を、商用系統７１に連系させるべく、主コンバータ回路６６、インバータ回路６７、系統リレー部６４を制御し、電力変換装置１から出力される電力の周波数や電圧を調整可能なものである。
【００３８】
続いて、本実施形態の電力変換装置１の特徴的な構成について説明する。
図１に示す様に、電力変換装置１は、外観がほぼ直方体の筐体４を有し、筐体４内には図２に示す操作基板１４と大型基板１７が設けられている。
【００３９】
図１、図２に示す様に、筐体４は本体部４ａと蓋部４ｂからなる。
本体部４ａは、直方体の六面のうちの五面を形成する５つの壁を有する。すなわち、図示しない長方形の背面壁の各辺に対して、上面壁２２、下面壁２３、左右の側面壁２４、２５が直交して接続されている。上面壁２２と下面壁２３には、筐体４の内外を通風させる通風開口２７が設けられている。
【００４０】
本体部４ａの正面側は開放されており、開口１６が形成されている。開口１６の縁には、図２に示すガイド片７７が設けられている。ガイド片７７は、上面壁２２、下面壁２３、及び左右の側面壁２４、２５と平行に起立している。図２に示す様に、開口１６（ガイド片７７）の下面壁２３部分には、取付台２１が形成されている。取付台２１は、ガイド片７７の一部が上面壁２２側へ屈曲して形成された細長い板状の部位である。取付台２１には、図示しないねじ孔が設けられている。
【００４１】
蓋部４ｂは、蓋本体７、表示プレート５、押圧部材６を有する。
蓋本体７は、正面壁２６、下部傾斜壁２８、上壁２９、左右の側壁３０、３１を有する。正面壁２６は薄板状であり、本体部４ａの図示しない背面壁よりも面積が小さい長方形の部位である。正面壁２６の長手方向にのびる一方の縁には上壁２９が連続している。
正面壁２６の長手方向にのびる他方の縁には、下部傾斜壁２８が連続している。下部傾斜壁２８は、正面壁２６に対して所定の角度だけ傾斜して連続している。
正面壁２６、上壁２９、下部傾斜壁２８の左側の各縁には、左側壁３０が接続されており、正面壁２６、上壁２９、下部傾斜壁２８の右側の各縁には、右側壁３１が接続されている。上壁２９、左側壁３０、右側壁３１、下部傾斜壁２８の自由端側の縁は、開口３２を形成している。
【００４２】
下部傾斜壁２８には、開口７ａ、７ｂ、７ｃが設けられている。
開口７ａは、蓋本体７の長辺に沿ってのびる長孔であり、開口７ｂ、７ｃは、円形の孔である。開口７ａ、７ｂ、７ｃは、この順に１列で左側壁３０側から右側壁３１側へ並んで設けられている。また、開口７ａ、７ｂ、７ｃは、下部傾斜壁２８における右側壁３１側に偏った位置に設けられている。
【００４３】
表示プレート５は、図２、図９（ａ）に示す様に、細長い薄板状の部材である。表示プレート５には、窓部１８と、円形の孔２０ａ、２０ｂが設けられている。
窓部１８は、表示プレート５のその他の部位よりも表面５ａから若干突出しており、長方形状の孔３３が設けられている。孔３３には、ガラス板やアクリル板等の透明板３４が嵌め込まれている。窓部１８は、蓋本体７の下部傾斜壁２８の開口７ａにちょうど嵌まる大きさ及び形状を有している。
【００４４】
孔２０ａは、蓋本体７の下部傾斜壁２８の開口７ｂと同じ大きさの孔である。また、孔２０ａ（周縁部）には、ガイド部３５（ガイド壁）が設けられている。ガイド部３５は、表示プレート５における窓部１８とは反対側の面（裏面）から起立している。本実施の形態では、ガイド部３５は、孔２０ａの周縁部に等間隔で４箇所に設けられている。
【００４５】
孔２０ｂは、孔２０ａと同様の孔であり、蓋本体７の下部傾斜壁２８の開口７ｃと同じ大きさの孔であり、孔２０ａのガイド部３５と同様のガイド部３６が設けられている。
また、表示プレート５におけるガイド部３５、３６が突出する側の面には、図９（ｃ）に示す様に、円筒状の突出部５７ａ、５７ｂと、突起５８ａ、５８ｂが設けられている。突出部５７ａ、５７ｂの内面には、それぞれねじ部５９ａ、５９ｂ（雌ねじ）が設けられている。突出部５７ａと突起５８ａは近接しており、突出部５７ｂと突起５８ｂも近接している。
【００４６】
図４、図５に示す様に、押圧部材６は、押圧片１０ａ、１０ｂ、支持部１１ａ、１１ｂ（接続部）、脚部１２ａ〜１２ｄ、固定部３７ａ、３７ｂを有する。
押圧片１０ａは、平坦部１９ａと環状側壁部３８ａを有する。平坦部１９ａは、円形の薄板である。環状側壁部３８ａは、平坦部１９ａの縁に沿って平坦部１９ａと直交する環状の薄板である。すなわち、押圧片１０ａは、円形のお盆を逆さまにした様な構造を呈している。
押圧片１０ｂは、押圧片１０ａと同様の構成を有しており、重複する説明は省略する。
【００４７】
支持部１１ａは薄板状であり、平行部３９ａ、３９ｂと接続部４０ａで構成されている。平行部３９ａ、３９ｂは、平行に配置されて接続部４０ａによって接続され、支持部１１ａは略コの字形を呈している。支持部１１ａは、押圧片１０ａよりも正面側の面積が小さく弾性変形可能である。すなわち、支持部１１ａの平行部３９ａの幅は、押圧片１０ａの平坦部１９ａの直径よりも小さく、弾性変形可能である。
支持部１１ｂは、支持部１１ａと同様の構成を有している。
【００４８】
図４に示す様に、脚部１２ａは、２つの線状弾性体１３と接続部４４ａとを有する。
線状弾性体１３は、細長い部材であり、一方の端部である一端側１３ａと、他方の端部である他端側１３ｂと、中間部１３ｃとを有する。線状弾性体１３は、中間部１３ｃで屈曲している。
接続部４４ａは、細長い薄板状の小片であり、一対の端部４７ａ、４７ｂを有する。
接続部４４ａの一方の端部４７ａには、一方の線状弾性体１３の一端側１３ａが接続されている。また、接続部４４ａの他方の端部４７ｂには、他方の線状弾性体１３の一端側１３ａが接続されている。
２つの線状弾性体１３と接続部４４ａは、側面視すると、カタカナのハの字の上の部分が繋がった様な形状を呈している。
すなわち、各線状弾性体１３は、接続部４４ａの同じ面に所定の角度で接続されており、２つの線状弾性体１３の一端側１３ａ同士の距離（接続部の長さ）は短く、２つの線状弾性体１３の他端側１３ｂ同士の距離は長い。線状弾性体１３は、他端側１３ｂ同士の距離が拡がる様に弾性変形が可能である。
脚部１２ｂ〜１２ｄは、脚部１２ａと同様の構成を有している。
【００４９】
固定部３７ａは薄板状であり、孔４２ａ、４３ａが設けられている。固定部３７ａは、接続部４０ａと直交する垂下部４１ａを介して接続部４０ａの中央部分と接続されている。
固定部３７ｂは、固定部３７ａと同様の構成を有している。
【００５０】
次に、押圧部材６の各部の関係を説明する。
図４〜図６に示す様に、押圧片１０ａの裏面側であって、環状側壁部３８ａの開口付近の外周面には、脚部１２ａの接続部４４ａが固定されている。脚部１２ａの線状弾性体１３は、押圧片１０ａの平坦部１９ａ側から環状側壁部３８ａの開口側へ向かう方向に突出している。
【００５１】
脚部１２ａと同様の構成を有する脚部１２ｂが、押圧片１０ａの環状側壁部３８ａにおける脚部１２ａとは反対側の部位に、脚部１２ａと対称に固定されている。すなわち、環状側壁部３８ａの両側には、脚部１２ａ、１２ｂが固定されている。図６に示す様に、脚部１２ａの自由端側である他端側１３ｂ同士の距離Ｌは、押圧片１０ａの平坦部１９ａの直径Ｄよりも長い。
【００５２】
また、押圧片１０ａの環状側壁部３８ａには、支持部１１ａの平行部３９ａの自由端４８ａと、支持部１１ｂの平行部４５ａの自由端４９ａが接続されている。平行部３９ａと平行部４５ａは、同一直線上に配置されており、それぞれ環状側壁部３８ａの両側であって、脚部１２ａ、１２ｂと９０度の位置に接続されている。すなわち、脚部１２ａ、１２ｂを結ぶ直線は、平行部３９ａ、４５ａと平行な直線と直交している。
【００５３】
同様に、押圧片１０ｂの環状側壁部３８ｂには、脚部１２ｃ、１２ｄが一体固着されている。また、環状側壁部３８ｂには、支持部１１ａ、１１ｂの平行部３９ｂ、４５ｂの自由端４８ｂ、４９ｂが接続されている。すなわち、支持部１１ａの自由端４８ａ、４８ｂは、それぞれ押圧片１０ａ、１０ｂの環状側壁部３８ａ、３８ｂに接続されており、支持部１１ｂの自由端４９ａ、４９ｂは、それぞれ押圧片１０ａ、１０ｂの環状側壁部３８ａ、３８ｂに接続されている。そして、支持部１１ａの平行部３９ａ、３９ｂは、それぞれ支持部１１ｂの平行部４５ａ、４５ｂと同一直線上に配置されている。
支持部１１ａの平行部３９ａと支持部１１ｂの平行部４５ａは同一直線上にあり、その直線の両側（外側）に脚部１２ａ、１２ｂが配置されている。
【００５４】
図６に示す様に、各脚部１２ａ〜１２ｄの自由端である他端側１３ｂ同士を結ぶ各直線は平行である。
【００５５】
次に、筐体４の蓋部４ｂの各部材同士の関係について説明する。
表示プレート５と押圧部材６は、ねじ５４、５５で一体固着されている。
すなわち、図９（ｂ）、図９（ｃ）に示す様に、ねじ５４は、押圧部材６の固定部３７ａの孔４２ａを貫通し、且つ、表示プレート５の突出部５７ａのねじ部５９ａと螺合しており、ねじ５５は、押圧部材６の固定部３７ｂの孔４２ｂを貫通し、且つ、表示プレート５の突出部５７ｂのねじ部５９ｂと螺合している。また、表示プレート５の突起５８ａ、５８ｂは、それぞれ押圧部材６の固定部３７ａ、３７ｂの孔４３ａ、４３ｂを挿通している。これらの構成によって、表示プレート５と押圧部材６は、強固に固定される。
【００５６】
図９（ａ）に示す様に、押圧部材６の押圧片１０ａ、１０ｂは、各々表示プレート５の孔２０ａ、２０ｂに配置されている。また、図９（ｂ）に示す様に、表示プレート５のガイド部３５、３６は、押圧部材６の押圧片１０ａ、１０ｂの環状側壁部３８ａ、３８ｂに沿っている。
【００５７】
表示プレート５の表面５ａは、蓋本体７の裏面に接着固定されている。蓋本体７の開口７ａには、図１に示す様に、表示プレート５の窓部１８が嵌合して配置されている。また、蓋本体７の開口７ｂ、７ｃには、押圧部材６の押圧片１０ａ、１０ｂが配置されている。蓋部４ｂは、以上説明した構成を有している。
【００５８】
次に、操作基板１４について説明する。
図３に示す様に、操作基板１４は、長方形状の薄板状の部材である。操作基板１４の一方の長辺側の縁は、所定の角度で折り曲げられている。すなわち、操作基板１４は、屈曲部５２を有し、屈曲部５２を境界に本体部１４ａと固定部１４ｂが構成されている
固定部１４ｂには、孔５３ａ、５３ｂが設けられている。
本体部１４ａには、スイッチ部３と配置板５０が設けられている。
【００５９】
スイッチ部３は、スイッチ３ａ、３ｂで構成されている。スイッチ３ａは、電力変換装置１の運転の入り切り状態を切り替えるスイッチであり、スイッチ３ｂは、表示する項目（発電量、使用量等）を切り換えるスイッチである。スイッチ３ａはラッチスイッチであり、スイッチ３ｂは、ラッチ式でないプッシュスイッチであり、いずれのスイッチも押し下げのストロークが比較的長い。
【００６０】
配置板５０は、操作基板１４よりも面積が小さい薄板であり、操作基板１４上に重ねられて接着されている。配置板５０には、孔５１が設けられている。孔５１は、スイッチ部３に貫通されている。すなわち、操作基板１４上におけるスイッチ部３が配置された箇所に配置板５０の孔５１が配置されている。また、孔５１は、複雑な形状を呈しており、直線状にのびるガイド部５６ａ〜５６ｈが設けられている。
さらに、配置板５０上には表示装置２が配置されている。表示装置２は、表示部１５を有する。表示部１５は、発電量や電力の使用量等をセグメント表示するものである。
【００６１】
図３に示す様に、表示装置２とスイッチ部３は、一列に配置されている。また、配置板５０の孔５１と操作基板１４の本体部１４ａとが重なった結果、孔５１部分は有底となる。
【００６２】
大型基板１７は、図２に示す様に、前記した各電子機器の一部又は全部を固定している。各電子機器は、大型基板１７上で通電により形成される磁界の影響が、他の電子機器に及ばないあるいは殆ど及ばないようにレイアウトされている。
【００６３】
次に、筐体４の本体部４ａと、操作基板１４及び大型基板１７の関係について説明する。
本体部４ａ内には、大型基板１７が図示しない固定手段によって固定されている。
【００６４】
また、本体部４ａの開口１６（ガイド片７７）の取付台２１には、操作基板１４が固定されている。すなわち、２つのねじ６５が、それぞれ操作基板１４の固定部１４ｂの孔５３ａ、５３ｂを貫通し、且つ、取付台２１に設けられた図示しないねじ孔に螺合されている。
【００６５】
操作基板１４の本体部１４ａは、取付台２１に対して所定の角度で傾斜し、筐体４の本体部４ａの開口１６から突出している。操作基板１４は、図示しない配線によって大型基板１７と接続されている。すなわち、配線は、筐体４の本体部４ａ側だけで完結している。
【００６６】
次に、筐体４の本体部４ａと蓋部４ｂの関係について説明する。
蓋部４ｂは、本体部４ａの正面側に配置されている。蓋部４ｂの開口３２が、本体部４ａのガイド片７７に沿っており、本体部４ａに蓋部４ｂが装着されている。操作基板１４の傾斜角度は、蓋部４ｂの下側傾斜壁２８の傾斜角度と一致している。すなわち、操作基板１４と蓋本体７は平行に配置されて近接する。
【００６７】
図７（ａ）、図８（ａ）に示す様に、蓋部４ｂ側の押圧部材６の押圧片１０ａ、１０ｂの平坦部１９ａ、１９ｂが、本体部４ａ側のスイッチ３ａ、３ｂに近接又は接触して停止している。平坦部１９ａ、１９ｂは、スイッチ３ａ、３ｂを配置するのに十分な面積を有している。そのため、本体部４ａと蓋部４ｂの位置が多少ずれたとしても、スイッチ３ａ、３ｂは、それぞれ平坦部１９ａ、１９ｂのいずれかの部位に近接対向又は接触する。
【００６８】
このとき、押圧部材６の脚部１２ａ〜１２ｄ（図４）は、操作基板１４上のガイド部５６ａ〜５６ｈ（図３）に配置されている。すなわち、脚部１２ａ〜１２ｄの各線状弾性体１３の他端側１３ｂ（自由端）は、操作基板１４に接触又は近接すると共に、溝状のガイド部５６ａ〜５６ｈにガイドされている。各線状弾性体１３の他端側１３ｂ（自由端）の代わりに、中間部１３ｃが操作基板１４に接触又は近接するように、各線状弾性体１３を構成してもよい。
【００６９】
また、蓋部４ｂ側の孔３３（透明板３４）が、本体部４ａ側の表示装置２の表示部１５に近接対向している。よって、筐体４（蓋部４ｂ）の外部から表示部１５の表示を観察することができる。
【００７０】
なお、本実施形態の電力変換装置１の設置姿勢について付言しておくと、電力変換装置１は、筐体４の背面側（蓋部４ｂとは反対側）を、建屋の壁面等に当接した状態で設置する。より詳細には、電力変換装置１は、筐体４における本体部４ａの通風開口２７を上下方向に向け、且つ、筐体４における蓋部４ｂを建屋の壁面等から離反した状態で固定するものである。すなわち、電力変換装置１は、この設置姿勢を基準にすると、空気が筐体４の上下方向に通風可能な構成である。
【００７１】
以上説明した電力変換装置１は、次の様に操作される。
図１に示す様に、電力変換装置１の正面側には、表示部１５と押圧部材６（スイッチ３ａ、３ｂ）が配置されている。
スイッチ３ａを操作する場合には、蓋本体７の開口７ｂに配置された押圧片１０ａを押圧する。押圧片１０ａが押圧されると、押圧片１０ａは、図７（ｂ）及び図８（ｂ）に示す様に、蓋本体７の内部に沈む。その際、押圧片１０ａは、図９（ｂ）に示すガイド部３５に沿って移動する。押圧片１０ａの周囲には、複数のガイド部３５が配置されており、押圧片１０ａは、ガイド部３５に支持されながら移動する。よって、押圧片１０ａの姿勢は変化しにくい。
【００７２】
また、押圧片１０ａは、支持部１１ａ、１１ｂと連続しており、さらに支持部１１ａ、１１ｂの両側には脚部１２ａ、１２ｂが配置されている。押圧片１０ａが押圧されると、押圧片１０ａに接続された支持部１１ａの平行部３９ａ側の部位と、支持部１１ｂの平行部４５ａ側の部位が弾性変形して撓む。
【００７３】
押圧片１０ａを押圧する力が、支持部材１１ａの平行部３９ａ及び支持部材１１ｂの平行部４５ａの延長線上から外れて偏った部位に作用する、すなわち、平行部３９ａ、平行部４５ａの延長線上から外れると、平行部３９ａの自由端４８ａと、平行部４５ａの自由端４９ａに捩り力が作用する。ところが、押圧片１０ａは、脚部１２ａ、１２ｂで支持されており、脚部１２ａ、１２ｂの線状弾性体１３の他端側１３ｂ（自由端）同士の間隔が拡がり、脚部１２ａ、１２ｂの弾性力が捩り力に抗する。そのため、押圧片１０ａは、傾くことなく孔２０ａ内に沈む。
【００７４】
そのため、押圧片１０ａの平坦部１９ａの中央にスイッチ３ａが配置されていない場合であっても、押圧片１０ａのいずれかの部位を押圧すると、押圧片１０ａは孔２０ａ内に沈み、スイッチ３ａが確実に押し下げられる。押圧片１０ａは、姿勢を崩すことなく移動するので、孔２０内を円滑に移動することができる。
【００７５】
押圧片１０ａの押し下げ力が解除されると、支持部１１ａ、１１ｂの弾性力によって押圧片１０ａが図７（ａ）、図８（ａ）に示す位置に復帰し、スイッチ３ａの押し下げ操作が解除される。
【００７６】
スイッチ３ｂを操作する場合についても、スイッチ３ａの場合と同様に押圧部材６は動作する。
【００７７】
押圧部材６の脚部１２ａ、１２ｂは、操作基板１４上の溝であるガイド部５６ａ〜５６ｄに沿って移動する構成を示したが、ガイド部５６ａ〜５６ｄを省略し、脚部１２ａ、１２ｂの線状弾性体１３の他端側１３ｂ（自由端）同士を接続することもできる。このように構成すると、脚部１２ａ、１２ｂの強度が増し、押圧部材６の押圧片１０ａが押圧された際に、押圧片１０ａは、姿勢を崩すことなく孔２０ａ内を移動する。
【符号の説明】
【００７８】
１    電力変換装置
２    表示装置
３    スイッチ部
３ａ、３ｂ  スイッチ
４    筐体
４ａ  筐体の本体部
４ｂ  筐体の蓋部
５    表示プレート
６    押圧部材
７    蓋本体
７ａ  蓋本体の開口
１０ａ、１０ｂ  押圧片
１１ａ、１１ｂ  支持部（接続部）
１２ａ〜１２ｄ  脚部
１３  線状弾性体
１３ａ  線状弾性体の一端側
１３ｂ  線状弾性体の他端側
１３ｃ  線状弾性体の中間部
１４    操作基板（他の部材）
１９ａ、１９ｂ  平坦部
２０ａ、２０ｂ  孔（表示プレートの開口、周縁部）
３５    ガイド部（ガイド壁）
６７    インバータ回路（電子機器）
【図１】
2014166115.tif 000003
【図２】
2014166115.tif 000004
【図３】
2014166115.tif 000005
【図４】
2014166115.tif 000006
【図５】
2014166115.tif 000007
【図６】
2014166115.tif 000008
【図７】
2014166115.tif 000009
【図８】
2014166115.tif 000010
【図９】
2014166115.tif 000011
【図１０】
2014166115.tif 000012
【図１１】
2014166115.tif 000013